(57)【特許請求の範囲】
【請求項１】
シャッタ機構や撮影レンズ等の撮影機構と、ストロボ回路と、このストロボ回路にストロボ充電を行なわせる充電スイッチとを含むストロボ装置とを備え、予め製造時に写真フイルムが装填されるレンズ付きフイルムユニットにおいて、
下方に設けられたオフ位置と、上方に設けられたオン位置との間でスライド自在とされ、前記オン位置にスライドされたときに前記充電スイッチをオンさせて前記ストロボ回路にストロボ充電を行なわせる充電操作部材と、
前記ストロボ回路の充電完了時に発光する発光素子と、
前記充電操作部材に係合して一体的にスライド移動され、前記充電操作部材がオフ位置にあるときには前記発光素子に対面せず、前記充電操作部材がオン位置に移動されたときに前記発光素子に対面して発光素子から照射された光をガイドするライトガイドと、
前記ライトガイドの上端に設けられ、前記充電操作部材がオフ位置にあるときに前記レンズ付きフイルムユニット内に収納され、前記充電操作部材がオン位置に移動されたときにレンズ付きフイルムユニットの上面から突出されて、撮影者と被撮影者とが視認して充電状態を把握できるように前記発光素子から入射された光を放射する光放射部とを備えることを特徴とするレンズ付きフイルムユニット。
【請求項２】
前記ライトガイドは、無色または着色された透明または半透明のプラスチックで形成されることを特徴とする請求項１記載のレンズ付きフイルムユニット。
【請求項３】
前記ライトガイドは、前記発光素子から照射された光をガイドするとともに上端に前記光放射部が設けられたガイド部と、前記充電操作部材に係合され、かつ前記ガイド部を上下方向でスライド自在に支持する取付部を備えることを特徴とする請求項１または２記載のレンズ付きフイルムユニット。
【請求項４】
前記ガイド部には、前記発光素子から照射された光をガイドしてファインダ光学系の光路内に反射するファインダ用反射面が設けられていることを特徴とする請求項３記載のレンズ付きフイルムユニット。
【発明の詳細な説明】
【０００１】
【発明の属する技術分野】
本発明は、ストロボ装置を内蔵したレンズ付きフイルムユニットに関するものである。
【０００２】
【従来の技術】
簡単な撮影機構が組み込まれ、写真フイルムが予め装填されたレンズ付きフイルムユニットが本出願人より製造・販売されている。このようなレンズ付きフイルムユニットには様々な種類があり、ストロボ装置が組み込まれたものもある。レンズ付きフイルムユニットのストロボ装置は、放電管や拡散板等からなるストロボ発光部と、このストロボ発光部を発光させるストロボ回路が形成された回路基板と、ストロボ回路にストロボ充電を行わせる充電スイッチとからなる。
【０００３】
上記充電スイッチは、ローコスト化のために簡素化されたものとなっており、回路基板上に形成された複数の接点部に金属接片を同時に当接させ、ストロボ回路を閉じることにより充電を開始させる。金属接片を接点部に接触させる操作部材としては、一度の操作で金属接片を接点部に当接させた状態に維持できる係止機構を備えたスライド式のものや、撮影者によって付勢されている間だけ金属接片を接点部に接触させるようにした、押しボタン式やスライド式のものが用いられている。
【０００４】
また、レンズ付きフイルムユニットのストロボ装置では、ストロボの充電完了を撮影者に知らせるために、発光表示する発光素子が組み込まれている。この発光素子は、レンズ付きフイルムユニットの背面に形成された表示開口に対面して設けられている場合や、ライトガイドを介してファインダ内で確認できるように配置されている場合もある。
【０００５】
【発明が解決しようとする課題】
上記充電スイッチの操作部材のうち、係止機構を備えたスライド式の充電スイッチは、操作部材を充電位置にセットした状態で撮影を終了してしまい、ストロボ装置の電源である乾電池が空になり、その後のストロボ撮影ができなくなることがあった。このような問題は、本来ならば、操作部材の位置や発光素子の発光表示を確認してから撮影を終了すれば防止することができるが、レンズ付きフイルムユニットの形態によっては、操作部材の操作状態が分かりにくかったり、発光素子の発光表示をレンズ付きフイルムユニット外から簡単に確認できないものがあり、また、撮影者がレンズ付きフイルムユニットの操作に不慣れな場合等にも多く発生する。
【０００６】
本発明は、上記問題点を解決するためのもので、ストロボ充電スイッチの切り忘れを防止したレンズ付きフイルムユニットを提供することを特徴とする。
【０００７】
【課題を解決するための手段】
上記問題点を解決するために、本発明のレンズ付きフイルムユニットは、充電スイッチのオン操作に連動してレンズ付きフイルムユニットの表面から突出し、ストロボ回路の充電が完了したことを表示する充電完了表示手段を設けたものである。
【０００８】
【発明の実施の形態】
図２は、本発明のレンズ付きフイルムユニット２のストロボ不使用時の際の外観を示すものである。レンズ付きフイルムユニット２の前面には、撮影レンズ３，対物側ファインダ窓４，ストロボ発光部５，充電操作部材６，ファインダ切換え操作つまみ７が設けられ、上面にはシャッタボタン８，残り撮影可能枚数を表示するカウンタ窓９，ストロボ充電の完了を表示する充電完了表示手段を構成する表示用ライトガイド１０を突出させる際に用いられる開口１１等が設けられている。また、レンズ付きフイルムユニット２の背面側には、１コマの撮影ごとに回転操作される巻上げノブ１２，接眼側ファインダ窓１３（図３参照）等が設けられている。
【０００９】
充電操作部材６は、図２に示すオフ位置と、図１に示すオン位置との間で上下方向でスライド自在とされており、ストロボ撮影を行う際には上方のオン位置にスライド操作し、ストロボ撮影を行わない際には下方のオフ位置にスライド操作する。また、充電操作部材６がオン位置にスライド操作されると、レンズ付きフイルムユニット２の上面に形成された開口１１からは、図１に示すように、表示用ライトガイド１０が突出される。この表示用ライトガイド１０は、ストロボ充電が完了すると発光し、撮影者と被撮影者とにストロボ充電が完了したことを知らせる。
【００１０】
図３に示すように、レンズ付きフイルムユニット２は、未露光の写真フイルム１５と略円柱形状のカートリッジ本体１６とからなるフイルムカートリッジ１７が装填される本体部１８と、この本体部１８の前面に組み付けられる露光ユニット１９と、ストロボ装置であるストロボユニット２０と、本体部１８の前面側及び背面側を覆うように組み付けられる前カバー２１及び後カバー２２とから構成されており、これらは爪係合によって組み立てられる。
【００１１】
本体部１８の中央部には、前面側に組み付けられた露光ユニット１９から写真フイルム１５までの間の撮影光路を遮光する遮光筒２４が設けられている。この遮光筒２４の前面側には露光開口２４ａが形成されており、背面側には写真フイルム１５への露光範囲を規定するアパーチャーが形成されている。遮光筒２４を挟む左右には、カートリッジ本体１６とロール状に巻かれた写真フイルム１５とがそれぞれ製造段階で収納されるカートリッジ室２５とフイルムロール室２６とが一体に形成されている。
【００１２】
カートリッジ室２５の上部には、巻上げノブ１２と、カートリッジ本体１６をレンズ付きフイルムユニット２から取り出す際に、カートリッジ本体１６に組み込まれた遮光蓋１６ａを閉鎖する遮光蓋閉鎖機構２７とが取り付けられている。これらの巻上げノブ１２と遮光蓋閉鎖機構２７とは、カートリッジ室２６を通してカートリッジ本体１６のスプール１６ｂと遮光蓋１６ａとに係合する。
【００１３】
カートリッジ室２５及びフイルムロール室２６は、本体部１８の背面側に後カバー２２が組み付けられ、後カバー２２に一体に形成されたカートリッジ室用の底蓋２８と、フイルムロール室用の底蓋２９とが閉じられることにより適正な遮光能が得られる。なお、底蓋２８，２９は、後カバー２２に対して屈曲自在な薄肉部を介して連結されており、底蓋２８は、使用後のレンズ付きフイルムユニット２からフイルムカートリッジ１７を取り出す際に開放される。また、後カバー２２の内面側の中央部には、本体部１８のアパーチャーに対面して写真フイルム１５の背面を支持するフイルム支持面２２ａが形成されている。
【００１４】
本体部１８の前面で、遮光筒２４の外周には、写真フイルム１５にプリント範囲を示すマークを写し込むためのマーク写し込み機構が組み込まれている。このマーク写し込み機構は、詳しくは図示しないが、本体部１８の遮光筒２４の下方に形成された２個の写し込み用開口と、これらの開口を開放，遮蔽して写し込みマークの形態を切り換えるマーク切換板と、ストロボユニットに取り付けられたマーク写し込み用発光素子の光をガイドして写し込み用開口に導く写し込み用ライトガイドと、これらを遮光する遮光カバー３１と、遮光筒２４の上方に回動自在に取り付けられ、後述する視野切換板３２（図４参照）の移動に連動して回動し、マーク写し込み板を移動させる回動レバー３３とからなる。
【００１５】
露光ユニット１９は、遮光筒２４の前面に取り付けられるブロック形状のベース部材３５に、シャッタチャージ機構，シャッタレリーズ機構，フイルム巻止め機構，フイルムカウント機構，撮影レンズ３，ファインダ光学系等が組み付けられてユニット化されたものである。
【００１６】
ストロボユニット２０は、複数の電気部品が取り付けられてストロボ回路が形成された回路基板３７と、この回路基板３７に取り付けられ、放電管３８（図５参照）とこの放電管３８を保持する保持部材３９と放電管３８の光を拡散する拡散板４０等からなるストロボ発光部５と、回路基板３７に取り付けられ、ストロボユニット２０の電源となる乾電池４１を電気的に接続する電池接片４２ａ，４２ｂと、フイルムロール室２６の前面に取り付けられ、充電操作部材６のオン位置へのスライド操作によって回路基板３７に接触しストロボ回路にストロボ充電を行わせる金属接片４３と、回路基板３７に取り付けられ、露光ユニット１９のシャッタレリーズ機構のレリーズ動作に連動してオンするシンクロスイッチ４４とからなる。
【００１７】
図４に示すように、前カバー２１は、前カバー本体４５と、この前カバー本体４５の前面に取り付けられる前面パネル４６とからなり、前カバー本体４５には、前面パネル４６に形成された対物側ファインダ窓４と同形状のファインダ開口４７が形成されている。また、前カバー本体４５と前面パネル４６との間には、充電操作部材６と、視野切換板３２と、トグルバネ５０とが取り付けられる。
【００１８】
視野切換板３２は、前カバー本体４５及び前面パネル４６と同じプラスチックによって略円板形状に成形されたもので、中央部分に形成された円形の開口５２が前カバー本体４５の前面に形成されたレンズ鏡筒４９の外周に嵌めこまれることにより、前カバー本体４５に回動自在に取り付けられる。この視野切換板３２は、一端に形成されたコイル部５０ａが前カバー本体４５の前面のピン５３に挿入され、他端５０ｂが視野切換板３２の穴５４に挿入されるトグルバネ５０によって、中間位置を挟む時計方向と反時計方向とに付勢される。
【００１９】
視野切換板３２の前面下部には、ボス５６が一体に形成されており、このボス５６は前面パネル４６の凸部５７の下方に形成された円弧形状のスリット５８に挿入される。スリット５８に挿入されたボス５６には、前面パネル４６の前面側から、ボス５６よりも大きく形成されたファインダ切換え操作つまみ７が取り付けられる。このように、視野切換板３２と、ファインダ切換え操作つまみ７とを別部品にすることにより、ファインダ切換え操作つまみ７の操作性を犠牲にすることなくスリット５８の幅を狭くすることができ、レンズ付きフイルムユニット２内の遮光能を維持することができる。
【００２０】
視野切換板３２の外周部分には、対物側ファインダ窓４とファインダ開口４７との間で、露光ユニット１９に組み込まれた対物側ファインダレンズ６１ａ（図３参照）の前方に挿脱される切換え用ファインダ枠であるアスペクト比３．０のパノラマサイズ（Ｐサイズ）用ファインダ枠６２と、アスペクト比１．５のＣサイズ用ファインダ枠６３とが形成されている。また、これらのパノラマ用ファインダ枠６２とＣサイズ用ファインダ枠６３との間には、標準ファインダ枠である対物側ファインダ窓４とファインダ開口４７との間を開放する切欠部６４が形成されている。
【００２１】
本実施形態のレンズ付きフイルムユニット２では、アスペクト比１．８のハイビジョンサイズ（Ｈサイズ）を標準サイズとしており、標準ファインダ枠である対物側ファインダ窓４はアスペクト比１．８となっている。そのため、使用開始時のレンズ付きフイルムユニット２は、対物側ファインダ窓４に視野切換板３２の切欠部６４が対面しているため、接眼側ファインダ窓４とファインダ開口４７との間が開放され、視野範囲がＨサイズとなる。
【００２２】
また、ファインダ切換え操作つまみ７を操作して視野切換板３２を回動させ、Ｃサイズ用ファインダ枠６３を接眼側ファインダ窓４とファインダ開口４７との間に挿入すると視野範囲がＣサイズとなり、Ｐサイズ用ファインダ枠６２を接眼側ファインダ窓４とファインダ開口４７との間に挿入すると、視野範囲がＰサイズとなる。
【００２３】
また、視野切換板３２の開口５２の外周には、開口５２の中心からの距離が変化させられて屈曲した形状とされたカム溝６６が形成されている。このカム溝６６には、本体部１８に取り付けられる回動レバー３３に形成された２本のアーム部６７，６８のうち、一方のアーム部６７に形成されたピン６７ａが挿入される。これにより、視野切換板３２の回動に連動して回動レバー３３が回動し、マーク写し込み機構のマーク切換板がファインダ視野に合致したマークを写真フイルム１５に写し込む。また、視野切換板３２は、回動レバー３３のピン６７ａによって回動範囲が規制され、更に各視野範囲の位置で位置決めされる。
【００２４】
充電操作部材６は、前カバー２１から露呈されて実際に操作される操作部７０と、前カバー本体４５の前面に取り付けられる基板部７１と、前カバー本体４５の前面に形成されたスリット７２に挿入されて、表示用ライトガイド１０に一体に形成されたピン７３に係合する係合部７４とからなる。充電操作部材６は、前カバー本体４５のスリット７２に沿って上下方向でスライド自在となる。
【００２５】
基板部７１には、上下方向に延びたスリット７６が形成されており、このスリット７６には前カバー本体４５の前面に突設されたピン７７が挿入される。そして、充電操作部材６が上下方向でスライド移動すると、スリット７６の内壁面に形成された２個の凹部がピン７７に係合し、充電操作部材６のスライド操作にクリック感を付与する。なお、スリット７６の側方に形成された細いスリット７８は、スリット７６に弾性を付与するために設けられている。
【００２６】
操作部７０は前カバー本体４５の開口４８に対面して配置され、その背面には、上方にスライド移動された際に開口４８を通してストロボユニット２０の金属接片４３を押圧する突起（図示せず）が設けられている。金属接片４３は、３本の接触片４３ａ，４３ｂ，４３ｃを有しており、操作部７０に押圧されると、これらの接触片４３ａ〜４３ｃを回路基板３７上に形成された３個の接点部３７ａ，３７ｂ，３７ｃにそれぞれ接触させる。これらの接点部３７ａ〜３７ｃと金属接片４３とは、ストロボ回路にストロボ充電を行わせる充電スイッチ８０と、ストロボ発光を禁止させる発光禁止スイッチ８１（図５参照）とを構成し、ストロボユニット２０は充電操作部材６が上方にスライドされている期間、連続してストロボ充電を行う。
【００２７】
図５は、回路基板３７に形成されているストロボ回路の回路図である。ストロボ回路は、大別して写し込みランプ点灯部８３，昇圧部８４，充電・発光部８５とからなる。写し込みランプ点灯部８３は、シンクロスイッチ４４に連動して写し込み用発光素子８６を点灯させる回路である。昇圧部８４は、電力供給源となる乾電池４１，発振トランジスタ８７，発振トランス８８，充電用ダイオード８９，停止トランジスタ９０，表示用発光素子９１等から構成されている。
【００２８】
発振トランジスタ８７と発振トランス８８とは周知のブロッキング発振回路を構成しており、充電スイッチ８０がオンとなると、発振トランジスタ８７にベース電流が流れ込んで、発振トランジスタ８７が作動を開始する。発振トランジスタ８７は、作動を開始すると発振トランス８８からの正帰還作用によって発振する。
【００２９】
発振トランス８８の二次コイル９３には、発振トランジスタ８７の発振中に、一次コイル９４と二次コイル９３との巻線比に応じた高電圧の起電力が発生する。充電用ダイオード８９は、この起電力によって一方向に流れる二次側電流だけを充電・発光部８５に給電する。
【００３０】
停止トランジスタ９０は、ベース端子がツェナダイオード９６に接続されている。ツェナダイオード９６は、メインコンデンサ９７の充電電圧が印加され、この充電電圧が規定充電電圧に達した時に、ツェナ電流を流す。停止トランジスタ９０は、ツェナダイオード９６がツェナ電流を流していない場合には、ベース電流が流れないのでエミッタ・コレクタ間を非導通状態にするが、ツェナダイオード９０がツェナ電流を流すようになった場合には、エミッタ・ベース間に動作電圧以上の電圧が印加されてツェナ電流がベース電流として流れる。停止用トランジスタ９０がこのようになると、発振トランジスタ８７のベース端子とエミッタ端子が等電位となり、発振トランジスタ８７の発振が停止される。なお、ストロボ充電開始用スイッチ８０がオンの状態で、メインコンデンサ９７の充電電圧が規定充電電圧以下になると、再び、発振トランジスタ８７は発振を開始する。また、メインコンデンサ９７の充電電圧が規定充電電圧になると、表示用発光素子９１が点灯する。
【００３１】
充電・発光部８５は、メインコンデンサ９７，ストロボ発光部５の内部に設けた放電管３８，トリガ電極９９，トリガー用コンデンサ１００，トリガー用トランス１０１，シンクロスイッチ４４，充電スイッチ８０，発光禁止スイッチ８１等から構成されている。メインコンデンサ９７は、その両端子が放電管３８の両電極に接続されるとともに、マイナス端子が充電用ダイオード８９のカソードに接続されている。
【００３２】
昇圧部８４から給電された電流（二次側電流）は、メインコンデンサ９７を充電するとともに、トリガー用コンデンサ１００を充電する。シンクロスイッチ４４は、シャッタの作動に連動して開閉され、シャッタ全開時にオンとなる。シンクロスイッチ４４がオンとなると、トリガー用コンデンサ１００が放電し、この放電された電流がトリガー用トランス１０１の一次コイル１０３に電流が流れる。これにより、二次コイル１０４に高電圧のトリガー電圧が発生する。このトリガー電圧は、トリガー電極９９を介して放電管３８に印加される。このトリガー電圧の印加によって、放電管３８の内部のＸｅガスがイオン化して放電管３８の両電極間の抵抗が破れ、メインコンデンサ９７が放電して放電管３８が発光する。
【００３３】
また、写し込み用発光素子８６は、放電管３８の発光の如何にかかわらず、シンクロスイッチ４４のオンによって発光し、写真フイルム１５にプリントサイズを示すマークを写し込む。
【００３４】
発光禁止スイッチ８１は、トリガー用コンデンサ１００、トリガー用トランス１０１の一次コイル１０３、及びシンクロスイッチ４４とから構成される放電回路（太線で示したループ）を開閉する。この回路は、シンクロスイッチ４４がオンされることに連動してトリガー用コンデンサ１００が放電し、この放電電流をトリガー用トランス１０１の一次コイル１０３に流すためのものである。したがって、この回路を開放することで、トリガー用コンデンサ１０１の放電が禁止される。
【００３５】
また、発光禁止スイッチ８１は、メインコンデンサ９７、及びトリガー用コンデンサ１００を充電する回路上にも配置されている。したがって、スイッチ８１がオフすると、メインコンデンサ９７、及びトリガー用コンデンサ１００への充電も禁止する。なお、充電スイッチ８０と、発光禁止用スイッチ８１とは、マイナス側端子が共通端子とされている。
【００３６】
上記ストロボ回路は、充電スイッチ８０と発光禁止スイッチ８１とがオンされている間は、ストロボ発光が行われた後に継続して次のストロボ充電が開始される。また、充電スイッチ８０と発光禁止スイッチ８１とがオンされている間は、メインコンデンサ９７への充電が完了してもブロッキング発振回路の動作が継続されるため、表示用発光素子９１は点灯を続ける。
【００３７】
図６，７，８，９に示すように、表示用ライトガイド１０は、透明なプラスチックを用いて形成されており、筒状の取付穴１１０を含む取付部１１１と、表示用発光素子９１の光を内面反射してガイドするガイド部１１２とからなる。取付部１１１は、露光ユニット１９のベース部材３５に一体に設けられた、ファインダレンズ６１ａ，６１ｂを保持するためのレンズホルダ部１１３に取り付けられる。レンズホルダ部１１３には、表示用ライトガイド１０の取付穴１１０に挿入されるガイドピン１１４と、ガイド部１１２の背面を支持する支持レール１１５とが一体に形成されている。ガイドピン１１４の下部には、取付部１１１を保持する保持板１１６が一体に設けられている。
【００３８】
ガイド部１１２は、充電操作部材６の操作によって上方にスライド移動した時に表示用発光素子９１に対面し、表示用発光素子９１の光を受ける第１反射面１１８と、この第１反射面１１８で反射された光を上方に向けて反射する第２反射面１１９と、この第２反射面１１９で反射された光を放射して撮影者と被撮影者とに充電の完了を知らせる光放射部１２０と、同じく第２反射面１１９で反射された光をファインダ光学系の光軸内に向けて反射するファインダ用反射面１２１とからなる。
【００３９】
光放射部１２０は、レンズ付きフイルムユニット２の前面側と背面側とに光を反射する表示用反射面１２０ａ，１２０ｂからなり、撮影者と被撮影者とが同時にストロボ充電の完了を知ることができる。これにより、撮影者は撮影操作に移ることができ、被撮影者は撮影準備が整ったことが確認して撮影される準備を行うことができる。また、ファインダ用反射面１２１により、ファインダを覗いた状態で表示用発光素子９１の光を確認できるので、フレーミングを行ったままストロボ充電の完了を知ることができる。
【００４０】
次に、上記実施例の作用について説明する。図２に示すレンズ付きフイルムユニット２の巻上げノブ１２を回転操作してフイルム巻き上げ操作を行うと、巻上げノブ１２の回転によって、図３に示すカートリッジ本体１６のスプール１６ｂが写真フイルム１５を巻き付けながら回転し、これに伴い露光ユニット１９のシャッタ機構でシャッタチャージが行われる。撮影者は、撮影したいプリントサイズに合わせてファインダ切換え操作つまみ７をスライド操作する。
【００４１】
ファインダ切換え操作つまみ７をスライド操作すると、図４に示すように、ファインダ切換え操作つまみ７に連結された視野切換板３２が前カバー本体４５と前面パネル４６との間で、撮影レンズ３の周りを回動する。図示していないが、ファインダ切換え操作つまみ７が移動するスリット５８の外側には、ファインダ切換え操作つまみ７を合致させる３種類の指標（Ｈサイズ，Ｐサイズ，Ｃサイズ）が設けられており、ファインダ切換え操作つまみ７をいずれかの指標に合わせると視野切換板３２が位置決めされ、視野切換板３２の外周部に形成されたＰサイズ用ファインダ枠６２、あるいは、Ｃサイズ用ファインダ枠６３、または切欠６４のいずれかが対物側ファインダ窓４に対面して視野範囲を切り換える。
【００４２】
また、視野切換板３２の回動に連動し、カム溝６６に係合した回動レバー３３が回動する。この回動レバー３３は、図３に示す遮光筒２４の下方に組み込まれたマーク写し込み機構を構成するマーク切換板をスライド移動させ、２個の写し込み開口を開閉することにより、ファインダ視野に合ったマークを写真フイルム１５に写し込めるようにする。
【００４３】
ストロボを使用せずに撮影を行う場合には、そのままファインダでフレーミングを行ってシャッタボタン８を押下する。すると、露光ユニット１９のシャッタ機構がレリーズ動作し、これに連動してシンクロスイッチ４４がオンする。シンクロスイッチ４４がオンすると、ストロボの使用の如何にかかわらずマーク写し込み用の発光素子８６が一定時間点灯し、その時点で選択されたプリントサイズを表すマークが写真フイルム１５の撮影コマ範囲外に写し込まれる。
【００４４】
ストロボ撮影を行う場合には、図１に示すように、充電操作部材６を上方の充電位置に向けてスライド操作する。充電操作部材６を上方にスライド操作すると、充電操作部材６に一体に形成された基板部７１のスリット７６内に形成された凹部と、前カバー本体４５の前面のピン７７との係合によりクリック感が得られるので、スライド操作が完了したことが容易に確認できる。
【００４５】
充電操作部材６が上方にスライドすると、図８に示すように、レンズ付きフイルムユニット２内に収められていた表示用ライトガイド１０は、充電操作部材６の係合部７４が表示用ライトガイド１０のピン７３を係合した状態でスリット７２内を上方に移動することにより、図９に示すように、ガイドピン１１４と支持レール１１５とに沿って上方に移動する。これにより、表示用ライトガイド１０の光放射部１２０が開口１１からレンズ付きフイルムユニット２外に突出し、第１反射面１１８が表示用発光素子９１に対面する。
【００４６】
また、充電操作部材６の操作部７０の背面に形成された突起（図示せず）は、前カバー本体４５の開口４８を通してストロボユニット２０の金属接片４３を押圧する。これにより、金属接片４３の接触片４３ａ〜４３ｃが、回路基板３７の接点部３７ａ〜３７ｃに接触し、図５に示すストロボ回路の充電スイッチ８０と発光禁止スイッチ８１とがオンし、発振トランジスタ８７と発振トランス８８とで構成されたブロッキング発振回路が発振動作を開始する。
【００４７】
発振動作中に二次コイル９３で発生した高電圧の起電力による二次側電流は、充電用ダイオード８９を介して充電・発光部８５に給電され、ここでメインコンデンサ９７とトリガー用コンデンサ１００とに充電される。
【００４８】
メインコンデンサ９７への充電が進むと、メインコンデンサ９７の端子間電圧が高くなる。このため、二次コイル９３の負荷が大きくなって、二次側電流が流れにくくなって、二次コイル９３の起電力、逆起電力の電圧が低下し、また発振回路の発振周波数が高くなる。
【００４９】
これにより、ツェナダイオード９６に逆方向電圧がかかるようになる。そして、メインコンデンサ９７が規定充電電圧に達すると、ツェナダイオード９６には、ツェナ電圧が印加されるため、ツェナ電流が流れる。このツェナ電流は、停止用トランジスタ９０のベース電流として流れるため、停止トランジスタ９０がオンとなる。
【００５０】
停止トランジスタ９０がオンすると、発振トランジスタ８７のベース・エミッタ間が停止トランジスタ９０によって接続されて等電位となり、発振トランジスタ８７がオフする。発振トランジスタ８７がオフすると、発振トランス８８の一次コイル９４に電流が流れなくなるから、メインコンデンサ９７の充電が停止する。
【００５１】
メインコンデンサ９７が規定充電電圧まで充電されると、表示用発光素子９１が点灯する。この表示用発光素子９２から放射された光は、図６，７，９に示すように、第１反射面１１８に入射して第２反射面１１９に向けて反射され、第２反射面１１９で反射されて光放射部１２０に入射する。光放射部１２０に入射した光は、表示用反射面１２０ａ，１２０ｂに反射されてレンズ付きフイルムユニット２の前面側と背面側とに向けて同時に放射されるので、撮影者と被撮影者とが同時にストロボ充電の完了を確認することができる。これにより、撮影者は次の撮影操作に移ることができ、被撮影者は撮影準備が整ったことが確認して撮影される準備を行うことができる。
【００５２】
また、第２反射面１１９で反射された光は、ファインダ用反射面１２１にも入射し、ファインダを覗いた状態でも表示用発光素子９１の光を確認できるので、撮影者は、フレーミングを行ったままでもストロボ充電の完了を知ることができる。
【００５３】
撮影者がシャッタボタン８を押下すると、露光ユニット１９のシャッタ機構がレリーズ動作し、これに連動してシンクロスイッチ４４がオンする。シンクロスイッチ４４がオンすると、トリガー用コンデンサ１００が放電し、この放電による電流がトリガー用トランス１０１の一次コイル１０３に流れ、二次コイル１０４にトリガー電圧が発生する。このトリガー電圧がトリガー電極９９を介して、放電管３８に印加にされる。これにより、放電管３８の両電極間でメインコンデンサ９７の電荷が放電され、放電管３８が発光し、ストロボ発光部５から被写体に向けてストロボ光が照射される。
【００５４】
被写体を反射した光は、撮影レンズ３を透過してアパーチャーにセットされた写真フイルム１５に露光され、撮影コマが形成される。また、シンクロスイッチ４４がオンすると同時に、マーク写し込み用の発光素子８６が一定時間点灯し、その時点で選択されたプリントサイズを表すマークが写真フイルム１５の撮影コマ範囲外に写し込まれる。
【００５５】
撮影後、充電操作部材６を充電位置にセットしておけば、自動的に次の撮影のためのストロボ充電が開始される。また、充電操作部材６が上方の充電位置にスライドされて充電スイッチ８０と発光禁止スイッチ８１とがオンされている間は、メインコンデンサ９７への充電が完了してもブロッキング発振回路の動作が継続して表示用発光素子９１は点灯を続けるので、撮影終了する際に充電操作部材６を充電位置にあることが確実に確認できるので、乾電池４１を無駄に消耗して次の撮影時にストロボ撮影が行えなくなるような問題は発生しない。
【００５６】
なお、上記実施形態の表示用ライトガイド１０は、表示用反射面１２０ａ，１２０ｂをガイド部１１２の上端に形成した凹部内に設けたが、図１０に示すように、ガイド部１１２の上部に直接に表示用反射面１２０ａ，１２０ｂを設けてもよい。
【００５７】
また、図１１に示すように、上端に向かって徐々に細くなる光放射部１３０や、図１１に示すように、光放射部１３０の周囲に波型の突条１３１を設けた光放射部１３２や、図１３に示すように、光放射部１３０の先端に凹部１３３を形成した光放射部１３４等を用いることもできる。
【００５８】
更に、図１４に示すように、中央に円柱部１３６を形成し、この円柱部１３６の周囲に放射状に切欠１３７やリブ１３８を設けた光放射部１４０等も用いることができる。また、光放射部の形状はこれらに限定されるものではなく、撮影者と被撮影者とが同時に発光素子の光が確認できるように光が放射される形状ならば用いることができる。
【００５９】
更に、上記各表示用ライトガイドは、無色透明なプラスチック、例えばポリスチレンを用いて成形したが、半透明，青や赤，緑等の色が含まれた透明なプラスチックやガラス等を用いてもよい。また、ライトガイドを無色透明あるいは半透明な材質で成形し、発光素子に色付きのものを用いてもよい。更に、光拡散剤を混入して半透明となったプラスチックを用いることもできる。また、ライトガイドと充電操作部材とを一体に形成してもよい。
【００６０】
また、上記各実施の形態では、表示用発光素子９１をストロボユニット２０の回路基板３７に取り付け、この発光素子９１に対面する表示用ライトガイドをスライド移動させてレンズ付きフイルムユニット２外に突出させるようにした。しかしながら、、図１５に示すように、充電操作部材６のスライド操作に連動して同方向に移動する透明なプラスチックで形成された保持部材１５０に表示用発光素子９１を保持させ、この表示用発光素子９１を直接にレンズ付きフイルムユニット２外で発光させて、ストロボ充電の状態を表示することもできる。なお、上記実施形態と同じ部品については同符号を用いて詳しい説明を省略する。
【００６１】
図１６に示すように、充電操作部材６が上方の充電開始位置にスライドされると、充電操作部材６に係止された保持部材１５０が同方向に一緒に移動する。表示用発光素子９１の端子９１ａは、屈曲されて回路基板３７に当接されており、発光素子９１がレンズ付きフイルムユニット２外に突出される発光表示位置に移動すると、回路基板３７上に形成された導通面１５２に接触する。この導通面１５２には充電完了後に電流が流れるようになっており、ストロボ充電が完了すると表示用発光素子９１が発光して、撮影者と被撮影者とにストロボ充電が終了したことを知らせる。保持部材１５０は、表示用発光素子９１を保護するカバー部１５０ａが一体に設けられており、表示用発光素子９１が放射する光を透過できるように透明なプラスチックで成形されている。
【００６２】
上記実施形態によれば、ストロボ充電状態を表現する光の強度を、ライトガイドを介して外部に放射する場合よりも強くすることができるので、撮影者から離れた被写体でもストロボ充電状態を確認することができる。また、表示用発光素子９１の端子９１ａと導通面１５２とをストロボ回路の電源スイッチとして利用することもできる。
【００６３】
また、表示用発光素子９１の移動によって端子９１ａを回路基板３７の導通面１５２に接触させる以外に、端子９１ａを柔軟で長さに余裕のある配線コードを介して回路基板３７のストロボ回路に接続し、表示用発光素子９１の移動を配線コードで吸収するようにしてもよい。
【００６４】
【発明の効果】
以上説明したように、本発明のレンズ付きフイルムユニットによれば、充電完了表示手段により、ストロボ回路の充電状態を容易にまた明確に知ることができるので、充電スイッチを切り忘れることがなく、乾電池を無駄に消耗して次の撮影時にストロボ撮影が行えなくなるような問題は発生しない。
【００６５】
また、充電完了表示手段を発光素子とライトガイドから構成し、ライトガイドを充電操作部材と一体にスライドさせてレンズ付きフイルムユニット外に突出させるようにしたので、複雑な機構等を用いることなく低コストに採用することができる。
【００６６】
更に、ライトガイドには撮影者と被撮影者とが充電完了を確認できる少なくとも二つ以上の発光面を設けたので、撮影者はライトガイドを確認することで容易に次の撮影操作に移行することができ、被撮影者は撮影される準備を行うことができる。また、ライトガイドをレンズ付きフイルムユニットの上面から突出させるようにしたので、レンズ付きフイルムユニットを縦位置に構えても容易にライトガイドを確実に視認することができる。
【００６７】
また、発光素子を直接レンズ付きフイルムユニットの表面から突出させることにより、ライトガイドを用いた場合よりもストロボ充電状態を表現する光の強度を強くすることができるので、撮影者から離れた被写体でもストロボ充電状態を確認することができる。
【図面の簡単な説明】
【図１】ストロボ撮影状態にある本発明のレンズ付きフイルムユニットの外観を示す斜視図である。
【図２】非ストロボ撮影状態にある本発明のレンズ付きフイルムユニットの外観を示す斜視図である。
【図３】レンズ付きフイルムユニットの構成を示す分解斜視図である。
【図４】前カバーの構成を示す分解斜視図である。
【図５】ストロボ回路の回路図である。
【図６】表示用ライトガイドの取付状態を示す分解斜視図である。
【図７】表示用ライトガイドの外観を示す斜視図である。
【図８】非ストロボ撮影状態のレンズ付きフイルムユニットの要部断面図である。
【図９】ストロボ撮影状態のレンズ付きフイルムユニットの要部断面図である。
【図１０】第２の実施形態の表示用ライトガイドの外観を示す斜視図である。
【図１１】第３の実施形態の表示用ライトガイドの外観を示す斜視図である。
【図１２】第４の実施形態の表示用ライトガイドの外観を示す斜視図である。
【図１３】第５の実施形態の表示用ライトガイドの外観を示す斜視図である。
【図１４】第６の実施形態の表示用ライトガイドの外観を示す斜視図である。
【図１５】別の実施形態の充電完了表示手段の非ストロボ充電状態を示す要部断面図である。
【図１６】別の実施形態の充電完了表示手段のストロボ充電状態を示す要部断面図である。
【符号の説明】
２  レンズ付きフイルムユニット
５  ストロボ発光部
６  充電操作部材
１０  表示用ライトガイド
１９  露光ユニット
２０  ストロボユニット
３７  回路基板
９１  表示用発光素子
１２０，１３０，１３２，１３４，１４０  光放射部
【図１】
0003903117.tif 000002
【図２】
0003903117.tif 000003
【図３】
0003903117.tif 000004
【図４】
0003903117.tif 000005
【図５】
0003903117.tif 000006
【図６】
0003903117.tif 000007
【図７】
0003903117.tif 000008
【図８】
0003903117.tif 000009
【図９】
0003903117.tif 000010
【図１０】
0003903117.tif 000011
【図１１】
0003903117.tif 000012
【図１２】
0003903117.tif 000013
【図１３】
0003903117.tif 000014
【図１４】
0003903117.tif 000015
【図１５】
0003903117.tif 000016
【図１６】
0003903117.tif 000017